(57)【要約】      （修正有）【課題】取り付けやすく、緩んで落ちる恐れが効果的に避けられ、安全性が保証されるシーリングライトを提供する。【解決手段】シーリングライトは、ボディと、ボディに設けられる係止部とを含み、係止部はフック２と、チャック３と、推進機構とを含む。フックの片端はボディに接続され、他端は鉤状の構造である。チャックはボディ内に設けられ、且つボディの表面からはみ出し又は引き込むことができる。推進機構はばね６を有し、チャックのはみ出し又は引き込みを推進する。フックは取付台におけるスライド溝の進退部から進入して係止溝にスライドすることで掛着を実現し、チャックは進退部に係入してフックをロックする。【選択図】図５
0003229340.tif 000002
【実用新案登録請求の範囲】
【請求項１】
取付け台に取り付けられ、前記取付け台にスライド溝が設けられ、前記スライド溝は互いに連通する進退部及び係止溝を含むように構成されるシーリングライトであって、
ボディと、ボディに設けられる係止部とを含み、
前記係止部は、片端は前記ボディに接続され、他端は鉤状の構造であるフックと、
前記ボディ内に設けられ、ボディの表面からはみ出し又は引き込むことができるチャックと、
前記チャックがはみ出し又は引き込むように推進するように構成される推進機構とを含み、
前記フックは前記進退部から進入して係止溝にスライドすることで掛着を実現するように構成され、前記チャックは進退部に係入してフックをロックするように構成されることを特徴とするシーリングライト。
【請求項２】
前記推進機構は、前記チャックに固定して設けられ、チャックがボディの表面から脱出することを防止するように構成され、内孔が開設される制限ブロックと、
前記内孔に設けられ、片端は前記内孔の底面に接触し、他端は前記ボディに当接し、チャックが前記ボディの表面からはみ出すように推すように構成される第１ばねと、
推進部品であって、前記制限ブロックが前記内孔の軸線方向に摺動するように推進するように構成され、前記チャックは前記推進部品が制限ブロックを推進することで前記ボディ内に引き込む推進部品とを含むことを特徴とする請求項１に記載のシーリングライト。
【請求項３】
前記制限ブロックに第１斜面が設けられ、前記推進部品はプッシュロッドであり、前記プッシュロッドは摺動して前記ボディに設けられ、且つ前記プッシュロッドの操作端はボディの表面からはみ出し、前記プッシュロッドの移動方向は前記制限ブロックの移動方向に垂直であり、前記プッシュロッドの片端にガイドヘッドが設けられ、前記ガイドヘッドに第２斜面が設けられ、前記第１斜面は第２斜面に接触することを特徴とする請求項２に記載のシーリングライト。
【請求項４】
前記フックは弧状の前記係止溝の口部内に進入するように構成され、前記チャックは前記進退部内に制限されるように構成されることを特徴とする請求項３に記載のシーリングライト。
【請求項５】
前記ボディは、基台であって、シュート及びガイド孔が設けられ、前記プッシュロッドはそれぞれ前記シュートに沿って摺動し、前記プッシュロッドの操作端はガイド孔を介して前記基台からはみ出す基台と、
前記基台に設けられる光源アセンブリと、
前記基台に対して係止されるカバーとを含むことを特徴とする請求項４に記載のシーリングライト。
【請求項６】
前記スライド溝は２つ設けられ、前記フック、チャック、推進機構はいずれも対応して２つ設けられることを特徴とする請求項１〜５のいずれか１項に記載のシーリングライト。
【請求項７】
前記ボディはさらに装飾リングを含み、前記装飾リングは調整部によって前記基台に接続され、前記調整部は前記装飾リングと前記基台のピッチを調整するように構成されることを特徴とする請求項５に記載のシーリングライト。
【請求項８】
前記調整部は、前記装飾リングと基台との間に設けられ、両端はそれぞれ前記基台、装飾リングに当接する第２ばねと、
前記基台に設けられ、内部に段付き孔が設けられる第１縦柱と、
前記装飾リングに設けられ、めねじ孔が設けられ、前記段付き孔の細端から前記第１縦柱に挿着される第２縦柱と、
ねじであって、前記段付き孔の太端から前記第１縦柱に通し且つ片端は前記細端からはみ出し、前記ねじのはみ出し端は前記第２縦柱のめねじ孔に螺着され、前記ねじのナットは段付き孔によって第１縦柱内に制限されるねじとを含むことを特徴とする請求項７に記載のシーリングライト。
【請求項９】
前記装飾リングに接続柱が設けられ、前記第２ばねは前記接続柱に嵌設され、前記基台に中空の収容柱が設けられ、前記第２ばね及び前記接続柱は前記収容柱に挿設されることを特徴とする請求項８に記載のシーリングライト。
【請求項１０】
前記係止部は装飾リングの中央に配置され、前記装飾リングのインナーリングにガイドリングが嵌設され、前記ガイドリングの外径と装飾リングの内径は釣り合い、前記ガイドリングの内径と取付け台の外径は釣り合うことを特徴とする請求項７に記載のシーリングライト。
【考案の詳細な説明】
【技術分野】
【０００１】
本考案は、照明器具技術の分野に関し、具体的に言えば、シーリングライトに関する。
【背景技術】
【０００２】
シーリングライトは照明分野で日常的に用いられ、従来のＬＥＤシーリングライトは取り付ける時はねじでバックシェルを吊り天井の型枠に固着させる必要があり、操作に手間がかかり、着脱しにくく、ねじとねじ孔の位置合わせが難しく、正確に位置決めできない。しかも、シーリングライトと天井は螺着の方式で接続され、このような接続方式では、使用期間が長くなると緩みやすく、シーリングライトが落ちる恐れがある。
【考案の概要】
【考案が解決しようとする課題】
【０００３】
本考案の目的は、天井へのシーリングライトの取付け方は着脱しにくく、使用期間が長くなると緩みやすく、シーリングライトが落ちる恐れがあるという問題を解決するために、シーリングライトを提供することである。
【課題を解決するための手段】
【０００４】
本考案が上記の目的を達成するために採用する技術的解決手段は以下のとおりである。取付け台に取り付けられ、前記取付け台にスライド溝が設けられ、前記スライド溝は互いに連通する進退部及び係止溝を含むように構成されるシーリングライトを提供し、前記シーリングライトはボディと、ボディに設けられる係止部とを含み、係止部はフックと、チャックと、推進機構とを含む。フックの片端はボディに接続され、他端は鉤状の構造である。チャックは前記ボディ内に設けられ、且つボディの表面からはみ出し又は引き込むことができる。推進機構はチャックがはみ出し又は引き込むように推進するように構成される。フックは進退部から進入して係止溝にスライドすることで掛着を実現するように構成され、チャックは進退部に係入してフックをロックするように構成される。
【０００５】
本願の別の実施例として、推進機構は制限ブロックと、第１ばねと、推進部品とを含み、制限ブロックはチャックに固定して設けられ、制限ブロックはチャックがボディの表面から脱出することを防止するように構成され、制限ブロックに内孔が開設される。第１ばねは内孔に設けられ、第１ばねの片端は内孔の底面に接触し、他端はボディに当接し、第１ばねはチャックが再びボディの表面からはみ出すように推すように構成される。推進部品は制限ブロックが内孔の軸線方向に摺動するように推進するように構成され、チャックは推進部品が制限ブロックを推進することでボディ内に引き込む。
【０００６】
本願の別の実施例として、制限ブロックに第１斜面が設けられ、推進部品はプッシュロッドであり、プッシュロッドは摺動してボディに設けられ、且つプッシュロッドの操作端はボディの表面からはみ出し、プッシュロッドの移動方向は制限ブロックの移動方向に垂直であり、プッシュロッドの片端にガイドヘッドが設けられ、ガイドヘッドに第２斜面が設けられ、第１斜面は第２斜面に接触する。
【０００７】
本願の別の実施例として、前記フックは弧状の前記係止溝の口部内に進入するように構成され、前記チャックは前記進退部内に制限されるように構成される。
【０００８】
本願の別の実施例として、ボディは基台と、光源アセンブリと、カバーとを含み、基台にシュート及びガイド孔が設けられ、プッシュロッドはそれぞれシュートに沿って摺動し、プッシュロッドの操作端はガイド孔を介して基台からはみ出す。光源アセンブリは基台に設けられる。カバーは基台に対して係止される。
【０００９】
本願の別の実施例として、スライド溝は２つ設けられ、フック、チャック、推進機構はいずれも対応して２つ設けられる。
【００１０】
本願の別の実施例として、ボディはさらに装飾リングを含み、装飾リングは調整部によって基台に接続され、調整部は装飾リングと基台のピッチを調整するように構成される。
【００１１】
本願の別の実施例として、調整部は第２ばねと、第１縦柱と、第２縦柱と、ねじとを含み、第２ばねは装飾リングと基台との間に設けられ、第２ばねの両端はそれぞれ基台、装飾リングに当接する。第１縦柱の内部に段付き孔が設けられ、第１縦柱は基台に設けられる。第２縦柱は装飾リングに設けられ、第２縦柱にめねじ孔が設けられ、第２縦柱は前記段付き孔の細端から第１縦柱に挿着される。ねじは段付き孔の太端から第１縦柱に通し且つ片端は細端からはみ出し、ねじのはみ出し端は第２縦柱のめねじ孔に螺着され、ねじのナットは段付き孔によって第１縦柱内に制限される。
【００１２】
本願の別の実施例として、装飾リングに接続柱が設けられ、第２ばねは接続柱に嵌設され、基台に中空の収容柱が設けられ、第２ばね及び接続柱は収容柱に挿設される。
【００１３】
本願の別の実施例として、係止部は装飾リングの中央に配置され、装飾リングのインナーリングにガイドリングが嵌設され、ガイドリングの外径と装飾リングの内径は釣り合い、ガイドリングの内径と取付け台の外径は釣り合う。
【考案の効果】
【００１４】
本考案に係るシーリングライトの有益な効果は以下のとおりである。従来の技術と比べると、本考案のシーリングライトは、取付け台は天井に固定して接続されるように構成され、取付け台が天井に対して緩まないよう保証される。取付け台にスライド溝が設けられ、スライド溝は互いに連通する進退部及び係止溝を含む。フックの片端はボディに接続され、他端は鉤状の構造である。チャックはボディの表面からはみ出し又は引き込むことができる。取り付ける時は、推進機構によってチャックをボディ内に引き込め、フックは進退部よりスライド溝に進入し、フックを摺動して係止溝に進入させることで掛着が実現され、フックが係止溝の進退部から離れる端にスライドしたら、チャックはボディの表面からはみ出して、進退部に係入し、フックとチャックの相対位置が変わらないため、フックとチャックはそれぞれスライド溝の両端に係着され、これによってスライド溝からのフックの離脱が効果的に防止され、セルフロック式の掛着が実現され、ボディが取付け台に接続されることが保証され、取り付けやすく、且つ緩みが出ず、安全性が保証される。
【図面の簡単な説明】
【００１５】
次に、本考案の実施例の技術的解決手段の一層明確な説明のために、実施例又は従来技術の説明に使用する図面を簡単に説明する。言うまでもないが、次に説明される図面は本考案のいくつかの実施例に過ぎず、当業者が進歩性のある作業をすることなく、これらの図面から別の図面を得ることができる。
【００１６】
【図１】図１は、本考案の実施例に係るシーリングライトの取付け台の構造概略図である。
【図２】図２は、本考案の実施例に係るシーリングライトのボディの概略図である。
【図３】図３は、図２のＡ部分の拡大図である。
【図４】図４は、図２の底面図である。
【図５】図５は、図４のＣ−Ｃ線における断面構造図である。
【図６】図６は、本考案の実施例に係るシーリングライトの推進機構の構造概略図である。
【図７】図７は、本考案の実施例に係る透光カバー及び導光アセンブリを取り外した後の構造概略図である。
【図８】図８は、図４のＤ−Ｄ線における断面構造図である。
【図９】図９は、本考案の実施例に係るシーリングライトの基台の構造概略図である。
【図１０】図１０は、本考案の実施例に係るシーリングライトの装飾リングの構造概略図である。
【図１１】図１１は、本考案の実施例に係るシーリングライトの透光カバーの構造概略図である。
【図１２】図１２は、本考案の実施例に係るガイドリングの取付けの概略図である。
【符号の説明】
【００１７】
図中、１...ボディ、２...フック、３...チャック、４...ボタン、５...第１接続ロッド、６...第１ばね、７...透光カバー、８...導光アセンブリ、９...基台、１０...装飾リング、１１...第２接続ロッド、１２...ガイドヘッド、１３...蓋体、１４...光源板、１５...第２ばね、１６...ねじ、１７...取付け板、１８...取付け台、１９...ガイドリング、２０...制限ブロック、２１...プッシュロッド、７０１...突起、９０１...第１縦柱、９０２...収容柱、９０３...ガイド孔、９０４...スロット、１００１...第２縦柱、１００２...接続柱、１００３...回避溝、１８０１...進退部、１８０２...係止溝、１８０３...掛け板。
【考案を実施するための形態】
【００１８】
本考案が解決しようとする課題、技術的解決手段及び有益な効果が一層明瞭で分かりやすくなるように、次に図面及び実施例を用いて、本考案を一層詳しく説明する。なお、ここで説明される特定の実施例は本考案を解釈するためのものに過ぎず、本考案を限定するものではない。
【００１９】
図１〜図６を参照して、本考案に係るシーリングライトを説明する。前記シーリングライトは取付け台１８に取り付けられ、取付け台１８にスライド溝が設けられ、前記スライド溝は互いに連通する進退部１８０１及び係止溝１８０２を含むように構成され、シーリングライトはボディ１と、ボディ１に設けられる係止部とを含み、係止部はフック２と、チャック３と、推進機構とを含む。フック２の片端はボディ１に接続され、他端は鉤状の構造である。チャック３は前記ボディ１内に設けられ、且つボディ１の表面からはみ出し又は引き込むことができる。推進機構はチャック３がはみ出し又は引き込むように推進するように構成される。フック２は進退部１８０１から進入して係止溝１８０２にスライドすることで掛着を実現するように構成され、チャック３は進退部１８０１に係入してフック２をロックするように構成される。
【００２０】
本考案のシーリングライトは、従来の技術と比べ、取付け台１８は天井に固定して接続されるように構成され、取付け台１８が天井に対して緩まないよう保証される。取付け台１８にスライド溝が設けられ、スライド溝は互いに連通する進退部１８０１及び係止溝１８０２を含む。フック２の片端はボディ１に接続され、他端は鉤状の構造である。チャック３はボディ１の表面からはみ出し又は引き込むことができる。取り付ける時は、推進機構によってチャック３をボディ１内に引き込め、フック２は進退部１８０１よりスライド溝に進入し、フック２を摺動して係止溝１８０２に進入させることで掛着が実現され、フック２が係止溝１８０２の進退部１８０１から離れる端にスライドしたら、チャック３はボディ１の表面からはみ出して、進退部１８０１に係入し、フック２とチャック３の相対位置が変わらないため、フック２とチャック３はそれぞれスライド溝の両端に係着され、これによってスライド溝からのフック２の離脱が効果的に防止され、セルフロック式の掛着が実現され、ボディ１が取付け台１８に接続されることが保証され、取り付けやすく、且つ緩みが出ず、安全性が保証される。
【００２１】
本実施例において、取付け台１８は取付け板１７によって天井に固定して接続される。フック２は進退部１８０１よりスライド溝に進入し、フック２は進退部１８０１より摺動して係止溝１８０２に進入することができ、フック２が係止溝１８０２の進退部１８０１から離れる端にスライドしたら、チャック３はボディ１の表面からはみ出して、進退部１８０１に係入し、チャック３の幅と進退部１８０１の幅は釣り合い、フック２とチャック３はそれぞれスライド溝の両端に係着され、スライド溝からのフック２の離脱が効果的に防止される。
【００２２】
本考案のシーリングライトの一つの特定の実施形態として、図５及び図６が参照されるとおり、推進機構は制限ブロック２０と、第１ばね６と、推進部品とを含み、制限ブロック２０はチャック３に固定して設けられ、制限ブロック２０はチャック３がボディ１の表面から脱出することを防止するように構成され、制限ブロック２０に内孔が開設される。第１ばね６は内孔に設けられ、第１ばね６の片端は内孔の底面に接触し、他端はボディ１に当接し、第１ばね６はチャック３が再びボディ１の表面からはみ出すように推すように構成される。推進部品は制限ブロック２０が内孔の軸線方向に摺動するように推進するように構成され、チャック３は推進部品が制限ブロック２０を推進することでボディ１内に引き込む。
【００２３】
本実施例において、チャック３と制限ブロック２０は一体的な構造であり、制限ブロック２０の幅はチャック３の幅より大きく、ボディ１の底板に第１はみ出し口が開設され、チャック３は第１はみ出し口よりボディ１の表面からはみ出し、制限ブロック２０は底板に担持して設けられてよい。ボディ１内に蓋体１３が取り付けられ、蓋体１３は制限ブロック２０の内孔を覆い、第１ばね６は蓋体１３に当接する。ボディ１が取付け台１８に取り付けられない状態で、チャック３は第１ばね６の作用でボディ１の表面からはみ出している。
【００２４】
フック２が進退部１８０１に進入する時は、チャック３がフック２の進入を妨げることを防止するために、推進部品が推進してチャック３をボディ１内に引き込めてよく、フック２が進入して、進退部１８０１より摺動して係止溝１８０２に進入する時、推進部品を離して、チャック３は第１ばね６の作用で再びはみ出す状態になり、フック２が係止溝１８０２の進退部１８０１から離れる端にスライドしたら、チャック３はばねの作用で自動的に進退部１８０１に係入し、これによってボディ１の取付け台１８への取付けが実現される。
【００２５】
本考案の実施例の特定の実施形態として、図５及び図６が参照されるとおり、制限ブロック２０に第１斜面が設けられ、推進部品はプッシュロッド２１であり、プッシュロッド２１は摺動してボディ１に設けられ、且つプッシュロッド２１の操作端はボディ１の表面からはみ出し、プッシュロッド２１の移動方向は制限ブロック２０の移動方向に垂直であり、プッシュロッド２１の片端にガイドヘッド１２が設けられ、ガイドヘッド１２に第２斜面が設けられ、第１斜面は第２斜面に接触する。
【００２６】
本実施例において、制限ブロック２０に第１斜面が設けられ、プッシュロッド２１の片端にガイドヘッド１２が設けられ、ガイドヘッド１２に第２斜面が設けられ、第１斜面は第２斜面に接触する。プッシュロッド２１を推してプッシュロッド２１の長さ方向に移動させると、制限ブロック２０はガイドヘッド１２の作用で上向きに移動して、チャック３を連れて引き込める。プッシュロッド２１を推進する外部の作用がなくなると、第１ばね６は制限ブロック２０を推して、チャック３が再度ボディ１の表面からはみ出す。
【００２７】
本考案の実施例の特定の実施形態として、図１が参照されるとおり、フック２は弧状の係止溝１８０２の口部内に進入するように構成され、チャック３は進退部１８０１内に制限されるように構成される。
【００２８】
本実施例において、取付け台１８に弧状の凹溝が開設され、凹溝の部分は弧状の掛け板１８０３によって遮蔽され、掛け板１８０３の一方の側壁は凹溝の１つの側壁に貼り合わせ、掛け板１８０３の内側の弧状壁は凹溝の内側の弧状壁に貼り合わせ、凹溝の内壁と掛け板１８０３によって画定されたチャンバはスライド溝と呼ばれ、少しも掛け板１８０３によって遮蔽されていないチャンバの部分は進退部１８０１と呼ばれ、一部が掛け板１８０３によって遮蔽されたチャンバの部分は係止溝１８０２と呼ばれる。フック２は進退部１８０１よりスライド溝に進入し、フック２がスライドして係止溝１８０２に進入した後、フック２は掛け板１８０３に掛着され、この時、フック２が係止溝１８０２より進退部１８０１に摺動しない限り、フック２は係止溝１８０２から離脱できない。チャック３が進退部１８０１に係入した後、フック２は進退部１８０１に摺動することができず、セルフロックが実現され、フック２の離脱が効果的に防止される。
【００２９】
本考案の実施例の特定の実施形態として、図７が参照されるとおり、ボディ１は基台９と、光源アセンブリと、カバーとを含み、基台９にシュート及びガイド孔９０３が設けられ、プッシュロッド２１はそれぞれシュートに沿って摺動し、プッシュロッド２１の操作端はガイド孔９０３を介して基台９からはみ出す。光源アセンブリは基台９に設けられる。カバーは基台９に対して係止される。
【００３０】
本実施例において、図５〜図７が参照されるとおり、光源アセンブリは光源板１４と、導光アセンブリ８とを含み、光源板１４は基台９の内側壁に取り付けられ、導光アセンブリ８は基台９に取り付けられる。フック２も基台９に取り付けられ、且つ基台９よりボディ１の表面からはみ出す。ボディ１の底板は即ち基台９の底板であり、第１はみ出し口は基台９に開設される。基台９の底面は内側に陥没して、シュートに起伏がある。本実施例において、シュートの形状に適するように、プッシュロッド２１は第１接続ロッド５と、第２接続ロッド１１と、ボタン４とを含み、ボタン４はプッシュロッド２１の操作端である。第２接続ロッド１１はＬ字状であり、第２接続ロッド１１の片端にガイドヘッド１２が設けられ、他端のガイドヘッド１２に向き合う側面は第１接続ロッド５に挿着され、第１接続ロッド５の第２接続ロッド１１から離れる端はボタン４に挿着され、ボタン４はガイド孔９０３に通してボディ１の表面からはみ出し、このような接続方式は簡易でかつ速やかに取り付けることができる。
【００３１】
本考案の実施例の特定の実施形態として、図１〜図６が参照されるとおり、スライド溝は２つ設けられ、フック２、チャック３、推進機構はいずれも対応して２つ設けられる。２つスライド溝は円周方向に均等に設けられ、各部品はいずれも対応して２つ設けられ、これによってより確実に取り付けられる。
【００３２】
本考案の実施例の特定の実施形態として、図７及び図８が参照されるとおり、ボディ１はさらに装飾リング１０を含み、装飾リング１０は調整部によって基台９に接続され、調整部は装飾リング１０と基台９のピッチを調整するように構成される。
【００３３】
本実施例において、取り付けるプロセスで、取付け台１８に対するボディ１の取り付けが完了した後、環境によって、取付け台１８の高さが異なるため、ボディ１が一定の長さであれば、ボディ１と天井との間にギャップが生じるような状況がよくある。装飾リング１０と基台９のピッチが調整できるため、ボディ１と天井との間に隙間が存在することが避けられる。
【００３４】
本考案の実施例の特定の実施形態として、図７〜図１１が参照されるとおり、調整部は第２ばね１５と、第１縦柱９０１と、第２縦柱１００１と、ねじ１６とを含み、第２ばね１５は装飾リング１０と基台９との間に設けられ、第２ばね１５の両端はそれぞれ基台９、装飾リング１０に当接する。第１縦柱９０１の内部に段付き孔が設けられ、第１縦柱９０１は基台９に設けられる。第２縦柱１００１は装飾リング１０に設けられ、第２縦柱１００１にめねじ孔が設けられ、第２縦柱１００１は段付き孔の細端から第１縦柱９０１に挿着される。ねじ１６は段付き孔の太端から第１縦柱９０１に通し且つ片端は細端からはみ出し、ねじ１６のはみ出し端は第２縦柱１００１のめねじ孔に螺着され、ねじ１６のナットは段付き孔によって第１縦柱９０１内に制限される。
【００３５】
本実施例において、ボディ１を取り付ける時は、ボディ１の透光カバー７を取り外して取り付ける。ボディ１の光源アセンブリに貫通孔が設けられ、貫通孔は第１縦柱９０１と位置が対応し、ねじ１６は貫通孔及び段付き孔の太端から第１縦柱９０１に通し且つ片端は細端からはみ出し、ねじ１６のはみ出し端は第２縦柱１００１のめねじ孔に螺着され、ねじ１６のナットは段付き孔によって第１縦柱９０１内に制限される。取付け台１８に対するボディ１の取り付けが完了した後、ボディ１と天井との間に隙間がある場合は、ねじ１６を回してねじ１６の第２縦柱１００１に螺着される長さを減らせば、装飾リング１０と基台９では第２ばね１５の作用で、ピッチが大きくなり、第２ばね１５は装飾リング１０が天井に貼り合わせるように推進して、天井に対するボディ１のギャップフリーの取付けが実現される。最後に透光カバー７を基台９に取り付ける。本実施例において、基台９にスロット９０４が設けられ、透光カバー７に突起７０１が設けられ、突起７０１はスロット９０４に係止して適合され、簡易でかつ速やかに取り付けることができる。装飾リング１０にはさらに回避溝１００３が開設され、回避溝１００３ははみ出したボタン４を回避するように構成される。本実施例において、調整部は円周方向に均等に４組設けられてよく、これによって装飾リング１０に作用する力はバランスが取れる。
【００３６】
本考案の実施例の特定の実施形態として、図７〜図９が参照されるとおり、装飾リング１０に接続柱１００２が設けられ、第２ばね１５は接続柱１００２に嵌設され、基台９に中空の収容柱９０２が設けられ、第２ばね１５及び接続柱１００２は収容柱９０２に挿設される。接続柱１００２及び収容柱９０２を設けると第２ばね１５の伸縮をガイドする役割が果たされ、第２ばね１５が伸縮する過程で揺動することが防止される。
【００３７】
本考案の実施例の特定の実施形態として、図１２が参照されるとおり、係止部は装飾リング１０の中央に配置され、装飾リング１０のインナーリングにガイドリング１９が嵌設され、ガイドリング１９の外径と装飾リング１０の内径は釣り合い、ガイドリング１９の内径と取付け台１８の外径は釣り合う。
【００３８】
取り付ける時は、装飾リング１０のインナーリングにガイドリング１９を嵌設し、ガイドリング１９及び装飾リング１０は相対的に回転でき、フック２及びチャック３はガイドリング１９によって遮蔽されず、ボディ１を持って、取付け台１８をガイドリング１９の中央の孔に挿入し、フック２がスライド溝に進入するようにボディ１を回転する。フック２及びスライド溝が比較的小さいため、フック２をスライド溝に位置合わせして取り付けることは難しく、ガイドリング１９を設けて、取付け台１８をガイドリング１９に挿入した後、ボディ１を回転させればそのままフック２のスライド溝に対する位置合わせが実現され、掛着が完了し、チャック３は第１ばね６の作用で、フック２が所定の程度に回転できれば、チャック３が自動的にスライド溝の進退部１８０１に進入して、セルフロックが実現され、位置決めが一層容易になり、簡易でかつ速やかに取り付けることができ、位置合わせの簡素化が実現される。
【００３９】
取付け台１８の種類が様々で、円形、方形、又は他の不規則な形状であり得るため、取付け台１８に適合するために、ガイドリング１９は方形孔又は不規則な孔が開設されるガイド部品であってもよく、方形孔又は不規則な孔は取付け台１８に適合し、ガイド部品は円筒状であり、ガイド部品の外径と装飾リング１０の内径は釣り合う。ガイド部品が装飾リング１０に嵌設されているだけであり、取付け台１８は方形である場合に、取付け台１８がガイド部品に挿入された後、ボディ１はガイド部品に対して回転でき、ガイド部品が取付け台１８外に嵌設されており回転せず、フック２及びチャック３はボディ１に従い回転してフック２の挿入位置を決定して、取り付けが完了する。フック２の位置決めが容易になり、位置合わせの簡素化が実現される。
【００４０】
上述した内容は本考案の好ましい実施例に過ぎず、これをもって本考案が限定されるものではない。本考案の趣旨から逸脱することなく修正、同等な差し替えや改良等が行われる場合は、そのいずれも本考案の保護範囲に含まれる。
【図１】
0003229340.tif 000003
【図２】
0003229340.tif 000004
【図３】
0003229340.tif 000005
【図４】
0003229340.tif 000006
【図５】
0003229340.tif 000007
【図６】
0003229340.tif 000008
【図７】
0003229340.tif 000009
【図８】
0003229340.tif 000010
【図９】
0003229340.tif 000011
【図１０】
0003229340.tif 000012
【図１１】
0003229340.tif 000013
【図１２】
0003229340.tif 000014